(57)【要約】【課題】  使用者の利便性を維持しながら、複数の表示パターンを個別に使用者以外の人に視認させることができる表示装置を提供する。【解決手段】  表示装置１において、画像データに基づく画像を表示する画像表示パネル２と、画像表示パネル２上に設けられ、正面以外の方向から視認可能な複数の表示パターンＭ１，Ｍ２を有し、複数の表示パターンＭ１，Ｍ２から１つの表示パターンを選択して表示するパターン表示パネル３とを備える。【選択図】    図１
2007065047.tif 000002
【特許請求の範囲】
【請求項１】
画像データに基づく画像を表示する画像表示パネルと、
前記画像表示パネル上に設けられ、正面以外の方向から視認可能な複数の表示パターンを有し、前記複数の表示パターンから１つの表示パターンを選択して表示するパターン表示パネルと、
を備えることを特徴とする表示装置。
【請求項２】
前記複数の表示パターンは、それぞれ異なる装置動作状態を示すマークであることを特徴とする請求項１記載の表示装置。
【請求項３】
前記複数の表示パターンは、前記装置動作状態として電波が発生していることを示すマークと、前記装置動作状態として電波が発生していないことを示すマークとから構成されていることを特徴とする請求項２記載の表示装置。
【請求項４】
前記パターン表示パネルは、前記装置動作状態に応じて前記マークを選択して表示することを特徴とする請求項２記載の表示装置。
【請求項５】
前記パターン表示パネルは、
前記複数の表示パターンに対応させて設けられた複数の第１の電極と、
前記複数の第１の電極に対向する第２の電極と、
前記複数の第１の電極と前記第２の電極との間に配向膜を介して設けられた液晶層と、
を有していることを特徴とする請求項１記載の表示装置。
【請求項６】
前記配向膜は、第１の配向方向を有する第１の配向領域と第２の配向方向を有する第２の配向領域とを有しており、
前記複数の表示パターンは、前記第１の配向領域又は前記第２の配向領域により形成されていることを特徴とする請求項５記載の表示装置。
【請求項７】
前記複数の第１の電極と前記第２の電極との間に選択的に電圧を印加する電圧印加回路を備えることを特徴とする請求項５記載の表示装置。
【請求項８】
前記電圧印加回路は、装置動作状態に応じて前記複数の第１の電極と前記第２の電極との間に選択的に電圧を印加することを特徴とする請求項７記載の表示装置。
【発明の詳細な説明】
【技術分野】
【０００１】
本発明は、表示装置に関する。
【背景技術】
【０００２】
表示装置としては、液晶を用いる液晶表示装置が様々な分野で使用されている。液晶表示装置は、薄型で軽量及び低消費電圧であるため、携帯情報端末、コンピュータ及びテレビ等の電子機器に用いられている。図１０に示すように、液晶表示装置１０１は、画像データに基づいて画像を表示する画像表示パネル１０２、及び画像表示パネル１０２に光を照射するバックライト１０３等を備えている。
【０００３】
このような液晶表示装置１０１を備える電子機器は、近年、無線通信機能等の様々な機能を有しており、電波を発生させる機器として認識されている。この電波を発生させる電子機器の利用は、公共の交通機関や施設等の様々な場所で制限されている。特に、航空機等では、電波を発生させる電子機器を使用することは禁止されている。ところが、電子機器の使用が制限されている場所でも、例えば無線通信機能のように電波を発生させる機能を使用しないことを条件として、電子機器を使用したいという要望がある。この場合には、使用する電子機器から電波が発生していないことを使用者以外の人に報知する必要がある。
【０００４】
そこで、図１０に示すように、電波が発生していないことを示す表示パターンＭ１０１を画像表示パネル１０２に表示することによって、電波が発生していないことを報知する方法が考えられる。ところが、表示パターンＭ１０１は、液晶表示装置１０１を備える電子機器を使用している使用者以外の人に見せるマークである。このため、表示パターンＭ１０１をある程度大きく表示しなければならず、表示パターンＭ１０１以外の画像を表示する表示領域が狭くなり、使用者の利便性が低下してしまう。そこで、特許文献１の技術を用いて、画像データに基づいて表示する画像に重ねて正面以外の方向から視認可能な表示パターンＭ１０１を表示することによって、表示領域が狭くなることを防止することができる。
【特許文献１】特開２００１−２６４７６８号公報
【発明の開示】
【発明が解決しようとする課題】
【０００５】
しかしながら、例えば電波が発生していること及び電波が発生していないことを報知する必要がある場合、すなわち、正面以外の方向から視認可能な複数の表示パターンＭ１０１を個別に表示する必要がある場合、特許文献１の技術では、複数の表示パターンＭ１０１を一度に全て表示してしまう。したがって、使用者の利便性を維持しながら、複数の表示パターンを個別に表示することは困難である。
【０００６】
本発明は上記に鑑みてなされたものであり、その目的とするところは、使用者の利便性を維持しながら、複数の表示パターンを個別に使用者以外の人に視認させることができる表示装置を提供することである。
【課題を解決するための手段】
【０００７】
本発明の実施の形態に係る特徴は、表示装置において、画像データに基づく画像を表示する画像表示パネルと、前記画像表示パネル上に設けられ、正面以外の方向から視認可能な複数の表示パターンを有し、前記複数の表示パターンから１つの表示パターンを選択して表示するパターン表示パネルとを備えることである。
【０００８】
本発明の特徴では、正面以外の方向から視認可能な複数の表示パターンから１つの表示パターンを選択表示するパターン表示パネルを設けることによって、画像表示パネルが表示する画像に対する使用者の視認が妨げられず、複数の表示パターンの中から１つの表示パターンがパターン表示パネルに表示される。
【発明の効果】
【０００９】
本発明によれば、使用者の利便性を維持しながら、複数の表示パターンを個別に使用者以外の人に視認させることができる表示装置を提供することができる。
【発明を実施するための最良の形態】
【００１０】
（第１の実施の形態）
本発明の第１の実施の形態について図１乃至図８を参照して説明する。
【００１１】
図１に示すように、本発明の実施の形態に係る表示装置１は、画像データに基づく画像を表示する画像表示パネル２、その画像表示パネル２上に設けられ正面以外の方向から視認可能な第１の表示パターンＭ１及び第２の表示パターンＭ２を有し、それらの表示パターンＭ１，Ｍ２から１つの表示パターンを選択して表示するパターン表示パネル３、画像表示パネル２の下方に設けられ画像表示パネル２に光を照射するバックライト等の光源４、パターン表示パネル３に接続された電圧印加回路５、その電圧印加回路５及び画像表示パネル２を駆動制御する表示制御回路６、及び電波の発生を検出する電波検出回路７等を備えている。ここで、このような表示装置１は、例えば無線通信機能を有する携帯情報端末やコンピュータ等の電子機器（外部装置）に搭載される。
【００１２】
画像表示パネル２は、図２に示すように、複数の画素電極１１ａを有するアレイ基板１２ａ、各画素電極１１ａに対向する対向電極１３ａを有する対向基板１４ａ、及びアレイ基板１２ａと対向基板１４ａとの間にシール材１５ａにより設けられた表示層１６ａ等から構成されている。また、各画素電極１１ａ上には、配向膜１７ａが設けられている。同様に、対向電極１３ａ上にも、配向膜１８ａが設けられている。これらの配向膜１７ａ，１８ａとしては、例えばポリイミド膜を用いる。
【００１３】
ここで、複数の画素電極１１ａはマトリックス状に画素数に対応させて設けられている。表示層１６ａは、例えば液晶材料により形成された液晶層である。液晶の配向状態の変化により画像を表示する領域が表示領域（表示画面）として機能する。また、アレイ基板１２ａ及び対向基板１４ａとしては、例えばガラス基板等を用いる。アレイ基板１２ａ上には、マトリクス状に設けられ各画素電極１１ａに薄膜トランジスタ等のスイッチ素子を介してそれぞれ接続された複数の信号線及び複数の走査線や、それらの信号線及び走査線を駆動する駆動回路（いずれも図示せず）等が設けられている。
【００１４】
パターン表示パネル３は、図２に示すように、２つの透過電極１１ｂを有する電極基板１２ｂ、各透過電極１１ｂに対向する対向電極１３ｂを有する対向基板１４ｂ、及び電極基板１２ｂと対向基板１４ｂとの間にシール材１５ｂにより設けられた表示層１６ｂ等から構成されている。また、２つの透過電極１１ｂ上には、配向膜１７ｂが設けられている。同様に、対向電極１３ｂ上にも、配向膜１８ｂが設けられている。配向膜１８ａ，１８ｂとしては、例えばポリイミド膜を用いる。
【００１５】
ここで、２つの透過電極１１ｂは、第１の表示パターンＭ１及び第２の表示パターンＭ２に対応させて設けられている。この２つの透過電極１１ｂは、電極基板１２ｂの略全面を２分した各領域に形成されている。なお、透過電極１１ｂが第１の電極として機能し、対向電極１３ｂが第２の電極として機能する。表示層１６ｂは、例えばネマティック液晶材料により形成された液晶層である。液晶の配向状態の変化により画像を表示する領域が表示領域（表示画面）として機能する。また、電極基板１２ｂ及び対向基板１４ｂとしては、例えばガラス基板等を用いる。
【００１６】
第１の表示パターンＭ１及び第２の表示パターンＭ２は、画像データに依存しない固定パターンである。この第１の表示パターンＭ１及び第２の表示パターンＭ２は、視野角依存性を有しており、表示画面に対して正面以外の方向から視認可能なマークであって、正面から視認不可能なマークである。なお、第１の表示パターンＭ１と第２の表示パターンＭ２とは、装置動作状態をそれぞれ示すマークである。本実施の形態では、第１の表示パターンＭ１は、電波が発生していることを示すマークである。一方、第２の表示パターンＭ２は、電波が発生していないことを示すマークである。すなわち、第１の表示パターンＭ１と第２の表示パターンＭ２とは、それぞれ逆の装置動作状態を示す一対のマークである。
【００１７】
電圧印加回路５は、パターン表示パネル３の２つの透過電極１１ｂにそれぞれ接続された２つの可変電源５ａを備えている。この電圧印加回路５は、表示制御回路６により駆動制御され、パターン表示パネル３の２つの透過電極１１ｂと対向電極１３ｂとの間に２つの可変電源５ａから選択的に電圧を印加する。このとき、電圧印加回路５は、可変電源５ａによる印加電圧の大きさを変えることにより、表示層１６ｂを３つの状態、すなわち、液晶分子が略水平に配列した水平状態（電圧無印加）、液晶分子が所定の角度で配列した中間状態（中間電圧印加）及び液晶分子が略垂直に配列した垂直状態（垂直電圧印加）にする。なお、表示層１６ｂの液晶分子は、印加電圧の大きさに応じた角度を持って配列する。
【００１８】
表示制御回路６は、画像データに基づいて画像表示パネル２を駆動制御し、さらに、電波検出回路７による電波の検出に基づいて電圧印加回路５を駆動制御する。電波検出回路７は、表示装置１を備える電子機器による電波の発生、例えば、電子機器が電波を発生させるか否か、又は電子機器から電波が発生しているか否かを検出する回路である。
【００１９】
例えば、電波検出回路７は、電子機器の動作設定に基づいて電波の発生を検出する。すなわち、電波検出回路７は、電子機器の動作設定が電波を発生させる動作設定（例えば通信設定）と電波を発生させない動作設定（例えば非通信設定）とのどちらに設定されているかを検出することにより電子機器が電波を発生させるか否かを検出する。また、例えば、電波検出回路７は、電子機器からの電波の有無に基づいて電波の発生を検出する。すなわち、電波検出回路７は、電波を受信してその電界強度の大きさを検出し、電子機器から電波が発生しているか否かを検出する。なお、電波検出回路７は、電子機器の装置動作状態を検出する動作検出回路として機能する。
【００２０】
表示制御回路６には、使用者により押下されるボタンスイッチ等のスイッチ６ａが接続されている。このスイッチ６ａは、表示装置１を備える電子機器に設けられている。なお、スイッチ６ａは操作部として機能する。表示制御回路６は、スイッチ６ａに対する使用者の操作に応じて、電圧印加回路５を駆動制御し、第１の表示パターンＭ１及び第２の表示パターンＭ２の表示を許可又は禁止する。例えば、表示制御回路６は、スイッチ６ａがオン状態になった場合、第１の表示パターンＭ１及び第２の表示パターンＭ２の表示を許可し、スイッチ６ａがオフ状態になった場合、第１の表示パターンＭ１及び第２の表示パターンＭ２の表示を禁止する。
【００２１】
ここで、表示制御回路６は、電波検出回路７による電波の検出、すなわち装置動作状態に応じて、電圧印加回路５を駆動制御する。したがって、電圧印加回路５は、装置動作状態に応じて２つの透過電極１１ｂに選択的に中間電圧を印加することになる。なお、表示制御回路６は、スイッチ６ａに対する使用者の操作に応じて、電圧印加回路５が装置動作状態に連動して２つの透過電極１１ｂに中間電圧を印加することを許可又は禁止する。
【００２２】
次に、パターン表示パネル３の配向膜１７ｂ，１８ｂについて説明する。
【００２３】
図３に示すように、パターン表示パネル３の配向膜１７ｂ，１８ｂには、異なる配向方向を有する２つの配向領域、すなわち第１の配向方向を有する第１の配向領域Ａ及び第２の配向方向を有する第２の配向領域Ｂが設けられている。第１の配向領域Ａは、第１の表示パターンＭ１及び第２の表示パターンＭ２の形状に形成されている。また、第２の配向領域Ｂは、第１の配向領域Ａが形成された領域以外の全面に形成されている。なお、第１
の配向領域Ａ及び第２の配向領域Ｂは、ラビング処理等の配向処理により形成されている。
【００２４】
パターン表示パネル３の配向膜１７ｂ，１８ｂの形成方法について簡単に説明する。
【００２５】
まず、電極基板１２ｂ上に２つの透過電極１１ｂを形成し、その各透過電極１１ｂ上に配向膜１７ｂとなるポリイミド膜を形成し、そのポリイミド膜の全面に所定の配向方向（図４中の第２の配向領域Ｂの実線矢印方向）にラビング処理を行う。続いて、ステンレス等の金属薄膜により、ラビング処理後のポリイミド膜の第２の配向領域Ｂに対応する領域を覆う。この状態のポリイミド膜に対して、先のラビング処理の配向方向と逆の配向方向（図４中の第１の配向領域Ａの実線矢印方向）にラビング処理を行い、その後、金属薄膜を除去する。これにより、配向膜１７ｂが完成する。
【００２６】
次に、対向基板１４ｂ上に対向電極１３ｂを形成し、その対向電極１３ｂ上に配向膜１８ｂとなるポリイミド膜を設け、そのポリイミド膜の全面に電極基板１２ｂの配向膜１７ｂの配向方向に対して垂直な方向（図４中の第２の配向領域Ｂの点線矢印方向）にラビング処理を行う。続いて、ステンレス等の金属薄膜により、ラビング処理後のポリイミド膜の第２の配向領域Ｂに対応する領域を覆う。この状態のポリイミド膜に対して、先のラビング処理の配向方向と逆の配向方向（図４中の第１の配向領域Ａの点線矢印方向）にラビング処理を行い、その後、金属薄膜を除去する。これにより、配向膜１８ｂが完成する。
【００２７】
このようにして、図４に示すように、電極基板１２ｂ上の配向膜１７ｂの配向方向は、第１の配向領域Ａ及び第２の配向領域Ｂにおいて逆方向になる。同様に、対向基板１４ｂ上の配向膜１８ｂの配向方向も、第１の配向領域Ａ及び第２の配向領域Ｂにおいて逆方向になる。さらに、電極基板１２ｂ上の配向膜１７ｂの配向方向と対向基板１４ｂ上の配向膜１８ｂの配向方向とは、第１の配向領域Ａ及び第２の配向領域Ｂにおいて垂交することになる。
【００２８】
また、電極基板１２ｂの外面及び対向基板１４ｂの外面には、偏光板（図示せず）がそれぞれ設けられている。本実施の形態では、各偏光板は、画像表示パネル２及びパターン表示パネル３が電圧無印加時に白表示（ノーマリホワイト）になるようにそれらの偏光方向を垂直にして設けられている。さらに、パターン表示パネル３の偏光板は、その偏光方向を第１の配向領域Ａ又は第２の配向領域Ｂのどちらか一方の配向方向と平行にして設けられている。
【００２９】
ここで、図４に示すように、矢印Ｄ１の方向から斜めに表示画面を見た場合には、図５に示すように、第１の配向領域Ａに強い視野角依存性が現れるので、第１の配向領域Ａが黒く又は黒っぽく見える。一方、図４に示すように、矢印Ｄ１の逆方向の矢印Ｄ２から斜めに表示画面を見た場合には、図６に示すように、第２の配向領域Ｂに強い視野角依存性が現れるので、第２の配向領域Ｂは黒く又は黒っぽく見える。このようにして、第１の表示パターンＭ１又は第２の表示パターンＭ２が、表示画面に向かって左右の斜め方向から視認される。
【００３０】
図５では、第１の配向領域Ａに対する画像可視領域５１と画像不可視領域５２とを示している。すなわち、画像可視領域５１から表示画面を見た場合には、画像表示パネル２が表示する画像が視認される。一方、画像不可視領域５２から表示画面を見た場合には、第１の配向領域Ａが黒く又は黒っぽく見え、図７に示すように、第１の表示パターンＭ１又は第２の表示パターンＭ２が視認される。
【００３１】
図６では、第２の配向領域Ｂに対する画像可視領域５３と画像不可視領域５４とを示している。すなわち、画像可視領域５３から表示画面を見た場合には、画像表示パネル２が表示する画像が視認される。一方、画像不可視領域５４から表示画面を見た場合には、第２の配向領域Ｂは黒く又は黒っぽく見え、図８に示すように、第１の表示パターンＭ１又は第２の表示パターンＭ２が視認される。このとき、第１の表示パターンＭ１又は第２の表示パターンＭ２の周囲の領域が黒く又は黒っぽく見えるため、第１の表示パターンＭ１又は第２の表示パターンＭ２は白く又は白っぽく見える。
【００３２】
したがって、表示画面に対して正面から表示画面を見た場合には、画像データに基づく画像が視認され、正面以外の方向から表示画面を見た場合には、２つの透過電極１１ｂに対する電圧印加に応じて、第１の表示パターンＭ１又は第２の表示パターンＭ２が視認される。
【００３３】
このような構成の表示装置１は、表示制御回路６により画像データに基づいて画像表示パネル２に画像を表示する。このとき、表示装置１は、表示制御回路６により画像表示パネル２の駆動回路等を制御して、画像データに基づいて画像表示パネル２に画像を表示する。また、表示装置１は、スイッチ６ａに対する使用者の操作により第１の表示パターンＭ１及び第２の表示パターンＭ２の表示が許可されている場合、パターン表示動作を行う。
【００３４】
表示装置１は、電波検出回路７により電波が検出されない場合、例えば、電子機器の動作設定が電波を発生させない動作設定（例えば非通信設定）に設定されている場合、表示制御回路６により電圧印加回路５を駆動制御して、パターン表示パネル３の２つの透過電極１１ｂのうち左（図２中）に位置する透過電極１１ｂと対向電極１３ｂとの間に、電圧を印加せず（電圧無印加）、さらに、パターン表示パネル３の２つの透過電極１１ｂのうち右（図２中）に位置する透過電極１１ｂと対向電極１３ｂとの間に、表示層１６ｂを中間状態にする中間電圧を印加する（中間電圧印加）。これにより、パターン表示パネル３は第２の表示パターンＭ２だけを表示する。
【００３５】
このとき、表示画面に向かって左の斜め方向（図７中の矢印Ｄ１）から表示画面を見た場合には、図７に示すような第２の表示パターンＭ２が視認される。一方、表示画面に向かって右の斜め方向（図８中の矢印Ｄ２）から表示画面を見た場合には、図８に示すような第２の表示パターンＭ２が視認される。
【００３６】
一方、表示装置１は、電波検出回路７により電波が検出された場合、例えば、電子機器の動作設定が電波を発生させる動作設定（例えば通信設定）に設定されている場合、表示制御回路６により電圧印加回路５を駆動制御して、パターン表示パネル３の２つの透過電極１１ｂのうち左（図２中）に位置する透過電極１１ｂと対向電極１３ｂとの間に、表示層１６ｂを中間状態にする中間電圧を印加し（中間電圧印加）、さらに、パターン表示パネル３の２つの透過電極１１ｂのうち右（図２中）に位置する透過電極１１ｂと対向電極１３ｂとの間に、電圧を印加しない（電圧無印加）。これにより、パターン表示パネル３は第１の表示パターンＭ１だけを表示する。
【００３７】
このとき、表示画面に向かって左の斜め方向（図７中の矢印Ｄ１）から表示画面を見た場合には、図７に示すような第１の表示パターンＭ１が視認される。一方、表示画面に向かって右の斜め方向（図８中の矢印Ｄ２）から表示画面を見た場合には、図８に示すような第１の表示パターンＭ１が視認される。
【００３８】
このようにして、表示装置１は、電圧印加回路５により装置動作状態に応じて２つの透過電極１１ｂに選択的に中間電圧を印加し、第１の表示パターンＭ１及び第２の表示パターンＭ２のどちらか一方だけをパターン表示パネル３に表示する。
【００３９】
このように本実施の形態によれば、正面以外の方向から視認可能な２つの表示パターンＭ１，Ｍ２から１つの表示パターンを選択表示するパターン表示パネル３を設けることによって、画像表示パネル２が表示する画像に対する使用者の視認が妨げられず、２つの表示パターンＭ１，Ｍ２から１つの表示パターンがパターン表示パネル３に表示される。これにより、使用者は、画像表示パネル２が表示する画像を大きいサイズで見ることが可能になり、さらに、使用者以外の人は２つの表示パターンＭ１，Ｍ２を個別に見ることが可能になる。したがって、使用者の利便性を維持しながら、２つの表示パターンＭ１，Ｍ２を個別に使用者以外の人に視認させることができる。
【００４０】
さらに、２つの表示パターンＭ１，Ｍ２は、それぞれ異なる装置動作状態を示すマークであることから、表示装置１を備える電子機器等の装置動作状態を使用者以外の人に報知することができる。特に、パターン表示パネル３は、装置動作状態に応じてマークを選択して表示することから、装置動作状態を使用者以外の人に適切に報知することができる。
【００４１】
加えて、２つの表示パターンＭ１，Ｍ２は、装置動作状態として電波が発生していることを示すマークと、装置動作状態として電波が発生していないことを示すマークとから構成されていることから、表示装置１を備える電子機器が電波を発生させる状態であるか否かを使用者以外の人に報知することができる。その結果として、例えば電波を発生させる電子機器の使用が制限されている場所においても、電子機器の利用が許可される場合がある。
【００４２】
また、パターン表示パネル３は、２つの表示パターンＭ１，Ｍ２に対応させて設けられた２つの第１の電極である透過電極１１ｂと、各透過電極１１ｂに対向する第２の電極である対向電極１３ｂと、各透過電極１１ｂと対向電極１３ｂとの間に配向膜１７ｂ，１８ｂを介して設けられた液晶層１６ｂと、を有していることから、簡単な構成でパターン表示パネル３、すなわち表示装置１を製造することができる。
【００４３】
さらに、配向膜１７ｂ，１８ｂは、第１の配向方向を有する第１の配向領域Ａと第２の配向方向を有する第２の配向領域Ｂとを有しており、２つの表示パターンＭ１，Ｍ２は、第１の配向領域Ａ又は第２の配向領域Ｂにより形成されていることから、表示画面に向かって左右の斜め方向から２つの表示パターンＭ１，Ｍ２を視認することができる。なお、第１の配向領域Ａ及び第２の配向領域Ｂは配向膜１７ａ，１８ｂに対するラビング処理等の配向処理により簡単に形成されるので、様々な形状の表示パターンＭ１，Ｍ２を容易に形成することができる。
【００４４】
また、２つの透過電極１１ｂと対向電極１３ｂとの間に選択的に電圧を印加する電圧印加回路５を備えることから、簡単な構成で２つの表示パターンＭ１，Ｍ２から１つの表示パターンを選択して表示することができる。特に、電圧印加回路５は、装置動作状態に応じて２つの透過電極１１ｂと対向電極１３ｂとの間に選択的に電圧を印加することから、装置動作状態に応じて２つの表示パターンＭ１，Ｍ２を個別に表示することができる。
【００４５】
（第２の実施の形態）
本発明の第２の実施の形態について図９を参照して説明する。
【００４６】
本発明の第２の実施の形態は、基本的に第１の実施の形態と同様である。第２の実施の形態では、第１の実施の形態との相違点について説明する。なお、第１の実施の形態で説明した部分と同一部分は同一符号で示し、その説明は省略する。
【００４７】
第２の実施の形態では、無線通信を行うための通信回路８が表示制御回路６に接続されており、スイッチ９が電波検出回路７に代えて通信回路８と表示制御回路６との間に接続されている。通信回路８は、表示装置１を備える電子機器に設けられている。なお、スイッチ９としては、使用者により押下されるボタンスイッチ等を用いる。このスイッチ９は操作部として機能する。
【００４８】
スイッチ９は、使用者の操作に応じて、通信回路８に対し通信動作の許可又は禁止を設定する。すなわち、スイッチ９は、使用者の操作に応じて通信回路８の動作設定を、通信回路８が通信動作を行う設定（電波を発生させる動作設定）又は通信回路８が通信動作を行わない設定（電波を発生させない動作設定）に設定する。さらに、スイッチ９は、表示制御回路６に対し第１の表示パターンＭ１及び第２の表示パターンＭ２の表示の許可又は禁止を設定する。
【００４９】
例えば、スイッチ９は使用者の操作によりオフ状態になった場合、通信回路８の通信動作を許可し、加えて、第１の表示パターンＭ１の表示を許可し、第２の表示パターンＭ２の表示を禁止する。一方、スイッチ９は使用者の操作によりオン状態になった場合、通信回路８の通信動作を禁止し、加えて、第１の表示パターンＭ１の表示を禁止し、第２の表示パターンＭ２の表示を許可する。
【００５０】
このような構成の表示装置１では、スイッチ９に対する使用者の操作により通信回路８の通信動作が許可されるとともに、第１の表示パターンＭ１の表示は許可され、第２の表示パターンＭ２の表示は禁止される。ここで、スイッチ６ａに対する使用者の操作により第１の表示パターンＭ１及び第２の表示パターンＭ２の表示が許可されている場合、パターン表示パネル３には、第１の表示パターンＭ１が表示される。
【００５１】
一方、スイッチ９に対する使用者の操作により通信回路８の通信動作が禁止されるとともに、第１の表示パターンＭ１の表示は禁止され、第２の表示パターンＭ２の表示は許可される。ここで、スイッチ６ａに対する使用者の操作により第１の表示パターンＭ１及び第２の表示パターンＭ２の表示が許可されている場合、パターン表示パネル３には、第２の表示パターンＭ２が表示される。
【００５２】
このように本実施の形態によれば、第１の実施の形態と同様な効果を奏し、さらに、通信回路８の通信動作及び表示パターンＭ１，Ｍ２の表示を制御するスイッチ９を設けることによって、スイッチ９に対する使用者の操作により通信回路８の通信動作が許可されるとともに、第２の表示パターンＭ２の表示は禁止されるので、通信回路８が通信動作を行う場合、使用者の意思に関わらず、第２の表示パターンＭ２の表示を禁止することができる。その結果として、通信回路８が通信動作を行う場合には、第１の表示パターンＭ１をパターン表示パネル３に確実に表示することができる。
【００５３】
また、使用者がパターン表示パネル３に第２の表示パターンＭ２を表示させたい場合には、使用者はスイッチ６ａを操作して第１の表示パターンＭ１及び第２の表示パターンＭ２の表示を許可し、スイッチ９を操作して第２の表示パターンＭ２の表示を許可する必要があることから、第２の表示パターンＭ２の表示が許可されるとともに通信回路８の通信動作が禁止されるので、パターン表示パネル３に第２の表示パターンＭ２を表示する場合、通信回路８の通信動作を禁止することができる。その結果として、第２の表示パターンＭ２がパターン表示パネル３に表示されている場合には、通信回路８が通信動作を行うことを防止することができる。
【００５４】
（他の実施の形態）
なお、本実施の形態においては、表示層１６ａとして液晶層を有する画像表示パネル２を用いているが、これに限るものではなく、例えば有機ＥＬ（エレクトロルミネッセンス）等の画像表示パネル２を用いるようにしてもよい。
【００５５】
また、本実施の形態においては、２つの透過電極１１ｂを設けているが、これに限るものではなく、例えば３つの透過電極１１ｂを設けるようにしてもよい。また、第１の表示パターンＭ１及び第２の表示パターンＭ２の２つの表示パターンを個別に表示するようにしているが、これに限るものではなく、例えば３つの表示パターンを個別に表示するようにしてもよい。
【００５６】
また、本実施の形態においては、第１の電極として２つの透過電極１１ｂを設け、第２の電極として１つの対向電極１３ｂを設けているが、これに限るものではなく、例えば第１の電極として２つの対向電極１３ｂを設け、第２の電極として１つの透過電極１１ｂを設けるようにしてもよい。
【００５７】
また、本実施の形態においては、第１の配向領域Ａ及び第２の配向領域Ｂの配向方向を図４に示す配向方向に設定しているが、これに限るものではない。
【００５８】
また、本実施の形態においては、ＴＮ（Twisted Nematic）型の液晶表示モードを適用しているが、これに限るものではなく、例えば透過率を制御する他の液晶表示モードを適用するようにしてもよい。
【００５９】
また、本実施の形態においては、スイッチ６ａにより第１の表示パターンＭ１及び第２の表示パターンＭ２の表示を許可するようにしているが、これに限るものではなく、例えば、スイッチ６ａを設けないようにしてもよい。この場合には、使用者の意思に関係なく、必ず第１の表示パターンＭ１及び第２の表示パターンＭ２のどちらか一方が表示される。これにより、例えば電波を発生させる電子機器の使用が制限されている場所においても、電子機器の利用が許可される場合がある。
【００６０】
また、本実施の形態においては、電波検出回路７により電子機器の動作設定に基づいて電波の発生を検出しているが、これに限るものではなく、例えば、電波検出回路７により通信動作（例えばデータ送受信等）に基づいて電波の発生を検出するようにしてもよい。この場合には、電子機器からの電波の発生にリアルタイムに応じて、第１の表示パターンＭ１及び第２の表示パターンＭ２の２つの表示パターンを切り替えることができる。
【００６１】
また、本実施の形態においては、電圧無印加状態で白表示（ノーマリホワイト）を行うようにしているが、これに限るものではなく、例えば電圧無印加状態で黒表示（ノーマリブラック）を行うようにしてもよい。この場合には、表示装置１は、電波検出回路７により電波が検出されない場合、例えば、電子機器の動作設定が電波を発生させない動作設定（例えば非通信設定）に設定されている場合、表示制御回路６により電圧印加回路５を駆動制御して、パターン表示パネル３の２つの透過電極１１ｂのうち左（図２中）に位置する透過電極１１ｂと対向電極１３ｂとの間に、表示層１６ｂを垂直状態にする垂直電圧を印加し（垂直電圧印加）、さらに、パターン表示パネル３の２つの透過電極１１ｂのうち右（図２中）に位置する透過電極１１ｂと対向電極１３ｂとの間に、表示層１６ｂを中間状態にする中間電圧を印加する（中間電圧印加）。これにより、パターン表示パネル３は第２の表示パターンＭ２だけを表示する。一方、表示装置１は、電波検出回路７により電波が検出された場合、例えば、電子機器の動作設定が電波を発生させる動作設定（例えば通信設定）に設定されている場合、表示制御回路６により電圧印加回路５を駆動制御して、パターン表示パネル３の２つの透過電極１１ｂのうち左（図２中）に位置する透過電極１１ｂと対向電極１３ｂとの間に、表示層１６ｂを中間状態にする中間電圧を印加し（中間電圧印加）、さらに、パターン表示パネル３の２つの透過電極１１ｂのうち右（図２中）に位置する透過電極１１ｂと対向電極１３ｂとの間に、表示層１６ｂを垂直状態にする垂直電圧を印加する（垂直電圧印加）。これにより、パターン表示パネル３は第１の表示パターンＭ１だけを表示する。
【００６２】
なお、本発明は、前述の実施の形態に限定されるものではなく、その要旨を逸脱しない範囲において種々変更し得ることは勿論である。
【図面の簡単な説明】
【００６３】
【図１】本発明の第１の実施の形態に係る表示装置の概略構成を示す斜視図である。
【図２】図１に示す表示装置の概略構成を示す断面図である。
【図３】図１及び図２に示す表示装置が備えるパターン表示パネルを示す平面図である。
【図４】図３に示すパターン表示パネルが備える配向膜における第１の配向領域及び第２の配向領域の各配向方向を説明するための模式図である。
【図５】図４に示す配向膜における第１の配向領域の視野角依存性を説明するための説明図である。
【図６】図４に示す配向膜における第２の配向領域の視野角依存性を説明するための説明図である。
【図７】図３に示すパターン表示パネルを第１の斜め方向から視認した場合の表示パターンを示す平面図である。
【図８】図３に示すパターン表示パネルを第２の斜め方向から視認した場合の表示パターンを示す平面図である。
【図９】本発明の第２の実施の形態に係る表示装置の概略構成を示す斜視図である。
【図１０】本発明の先行技術に係る表示装置の概略構成を示す斜視図である。
【符号の説明】
【００６４】
１        表示装置
２        画像表示パネル
３        パターン表示パネル
５        電圧印加回路
１１ｂ    第１の電極
１３ｂ    第２の電極
１６ｂ    液晶層
１７ｂ    配向膜
１８ｂ    配向膜
Ａ        第１の配向領域
Ｂ        第２の配向領域
Ｍ１      表示パターン
Ｍ２      表示パターン
【図１】
2007065047.tif 000003
【図２】
2007065047.tif 000004
【図３】
2007065047.tif 000005
【図４】
2007065047.tif 000006
【図５】
2007065047.tif 000007
【図６】
2007065047.tif 000008
【図７】
2007065047.tif 000009
【図８】
2007065047.tif 000010
【図９】
2007065047.tif 000011
【図１０】
2007065047.tif 000012